(57)【特許請求の範囲】
【請求項１】
シートを積載する第１積載手段と、
前記第１積載手段に積載されたシートを搬送するシート搬送手段と、
前記シート搬送手段によって搬送されたシートの画像を読み取る画像読み取り手段と、
画像が読み取られたシートを排出方向に排出するシート排出手段と、
前記第１積載手段の下方に配置され、画像が読み取られたシートが排出される第２積載手段と、
光を照射する発光部と、
前記発光部からの光が透過し、前記排出方向に垂直でかつ水平方向と平行な幅方向と交差する画像読取装置の面に配置された透明なカバー部材と、を備え、
前記発光部から発せられた光は、前記透明なカバー部材を介して、前記第２積載手段を照らすことを特徴とする画像読取装置。
【請求項２】
前記透明なカバー部材が取り付けられる取り付け部と、
前記画像が読み取られたシートが排出されるシート排出口と、を備え、
前記取り付け部を前記シート排出口の前記幅方向の縁部に設けたことを特徴とする請求項１記載の画像読取装置。
【請求項３】
前記発光部及び透明なカバー部材を、前記第１積載手段よりも下方に取り付けたことを特徴とする請求項１又は２に記載の画像読取装置。
【請求項４】
前記発光部は、その光軸が、前記シート排出手段から排出されたシートが積載される前記幅方向における前記第２積載手段のシート積載領域に向くように、前記排出方向に対して傾いて配設されていることを特徴とする請求項１乃至３のいずれか１項記載の画像読取装置。
【請求項５】
前記透明なカバー部材にシボ加工を施すことを特徴とする請求項１乃至４のいずれか１項記載の画像読取装置。
【請求項６】
前記透明なカバー部材は、鉛直方向に延びていることを特徴とする請求項１乃至５のいずれか１項に記載の画像読取装置。
【請求項７】
シートを搬送するシート搬送手段と、
前記シート搬送手段によって搬送されたシートを排出方向に排出するシート排出手段と、
前記シート排出手段によって排出されたシートを積載する積載手段と、
光を発する発光部と、
前記発光部からの光が透過し、前記排出方向に垂直でかつ水平方向と平行な幅方向と交差するシート積載装置の面に配置された透明なカバー部材と、を備え、
前記発光部から発せられた光は、前記透明なカバー部材を介して前記積載手段を照らすことを特徴とするシート積載装置。
【請求項８】
シートを積載する第１積載手段と、
前記第１積載手段に積載されたシートを搬送するシート搬送手段と、
前記シート搬送手段によって搬送されたシートの画像を読み取る画像読み取り手段と、
前記画像読み取り手段によって読み取られた画像情報に基づいて画像を形成する画像形成部と、
画像が読み取られたシートを排出方向に排出するシート排出手段と、
前記第１積載手段の下方に配置され、画像が読み取られたシートが排出される第２積載手段と、
光を発する発光部と、
前記発光部からの光が透過し、前記排出方向に垂直でかつ水平方向と平行な幅方向と交差する画像形成装置の面に配置された透明なカバー部材と、を備え、
前記発光部から発せられた光は、前記透明なカバー部材を介して、前記第２積載手段を照らすことを特徴とする画像形成装置。
【請求項９】
前記透明なカバー部材が配置される面は、前記画像読取装置の手前側に配置され、前記発光部から発せされた光は前記第２積載手段を手前側から照らす、
ことを特徴とする請求項１乃至６のいずれか１項記載の画像読取装置。
【請求項１０】
前記透明なカバー部材が配置された面は、前記シート積載装置の手前側に配置され、前記発光部から発せされた光は前記積載手段を手前側から照らす、
ことを特徴とする請求項７記載のシート積載装置。
【請求項１１】
前記透明なカバー部材は、前記幅方向において、前記シート排出手段から排出されるシートが積載される前記第２積載手段の領域よりも外側に配置されている、
ことを特徴とする請求項１乃至６のいずれか１項記載の画像読取装置。
【請求項１２】
前記透明なカバー部材は、前記幅方向において、前記シート排出手段から排出されるシートが積載される前記積載手段の領域よりも外側に配置されている、
ことを特徴とする請求項７記載のシート積載装置。
【発明の詳細な説明】
【技術分野】
【０００１】
本発明は、画像読取装置、シート積載装置及び画像形成装置に関し、特に排出されたシートの取り忘れを防ぐための構成に関する。
【背景技術】
【０００２】
従来、デジタル複写機、プリンタ、ファクシミリ等の画像形成装置においては、画像形成部と、画像読取装置とを備え、画像読取装置によって読み取った画像情報に基づいて画像形成部により、シートに画像を形成するようにしたものがある。画像読取装置として、画像読取装置本体の上部に、積載トレイに積載されたシートである原稿を搬送する自動原稿搬送装置であるＡＤＦ（Ａｕｔｏ  Ｄｏｃｕｍｅｎｔ  Ｆｅｅｄｅｒ）を有するものがある。
【０００３】
この画像読取装置では、プラテンガラスの所定の画像読取位置の下方に画像読取手段を移動させた後、画像読取位置上を、ＡＤＦにより原稿を一定の速度で搬送することにより、原稿画像を読み取る。なお、画像が読み取られた後、原稿は、積載トレイの下方に設けられた原稿排出部に排出される。
【０００４】
ここで、原稿が原稿排出部に排出された後、ユーザは原稿を取り除くが、ユーザが原稿に気づかない場合がある。この場合、原稿の取り忘れが生じるので、原稿の取り忘れを防止するため、原稿排出部を照明手段により照らすようにしたものがある。このような画像読取装置としては、照明手段を原稿排出部の上方で且つ積載トレイの下方に、さらに読取可能な最大サイズ原稿の排出方向と直交する幅方向の外側に配置するようにしたものがある（特許文献１参照）。このような位置に照明手段を配置することにより、照明手段からの光が原稿に遮られるのを防ぐことができるので、原稿の視認性が向上し、原稿の取り忘れを防止することができる。
【先行技術文献】
【特許文献】
【０００５】
【特許文献１】特開２０１３−１９７７２５号公報
【発明の概要】
【発明が解決しようとする課題】
【０００６】
このような従来の画像読取装置では、ユーザが積載トレイ側から原稿排出部を見た際、積載トレイよりも大きいサイズの原稿に対しては照明手段が原稿を照らすことができるので、ユーザが原稿を取り忘れることはない。しかし、積載トレイよりも小さい原稿については、照明手段が原稿を照らすことができないので、ユーザが原稿を取り忘れてしまう場合がある。この場合、取り忘れの原稿が大量にあり、この後、さらに原稿の読み取りが行われると、取り忘れ原稿により、原稿の詰まりが発生してしまう。
【０００７】
そこで本発明は、このような現状に鑑みてなされたものであり、原稿の取り忘れをより効果的に防ぐことのできる画像読取装置、シート積載装置及び画像形成装置を提供することを目的とするものである。
【課題を解決するための手段】
【０００８】
本発明の一態様は、シートを積載する第１積載手段と、前記第１積載手段に積載されたシートを搬送するシート搬送手段と、前記シート搬送手段によって搬送されたシートの画像を読み取る画像読み取り手段と、画像が読み取られたシートを排出方向に排出するシート排出手段と、前記第１積載手段の下方に配置され、画像が読み取られたシートが排出される第２積載手段と、光を照射する発光部と、前記発光部からの光が透過し、前記排出方向に垂直でかつ水平方向と平行な幅方向と交差する画像読取装置の面に配置された透明なカバー部材と、を備え、前記発光部から発せられた光は、前記透明なカバー部材を介して、前記第２積載手段を照らすことを特徴とする画像読取装置である。
また、本発明の一態様は、シートを搬送するシート搬送手段と、前記シート搬送手段によって搬送されたシートを排出方向に排出するシート排出手段と、前記シート排出手段によって排出されたシートを積載する積載手段と、光を発する発光部と、前記発光部からの光が透過し、前記排出方向に垂直でかつ水平方向と平行な幅方向と交差するシート積載装置の面に配置された透明なカバー部材と、を備え、前記発光部から発せられた光は、前記透明なカバー部材を介して前記積載手段を照らすことを特徴とするシート積載装置である。
また、本発明の一態様は、シートを積載する第１積載手段と、前記第１積載手段に積載されたシートを搬送するシート搬送手段と、前記シート搬送手段によって搬送されたシートの画像を読み取る画像読み取り手段と、前記画像読み取り手段によって読み取られた画像情報に基づいて画像を形成する画像形成部と、画像が読み取られたシートを排出方向に排出するシート排出手段と、前記第１積載手段の下方に配置され、画像が読み取られたシートが排出される第２積載手段と、光を発する発光部と、前記発光部からの光が透過し、前記排出方向に垂直でかつ水平方向と平行な幅方向と交差する画像形成装置の面に配置された透明なカバー部材と、を備え、前記発光部から発せられた光は、前記透明なカバー部材を介して、前記第２積載手段を照らすことを特徴とする画像形成装置である。
【発明の効果】
【０００９】
本発明によれば、原稿の取り忘れをより効果的に防ぐことができる。
【図面の簡単な説明】
【００１０】
【図１】本発明の実施の形態に係る画像読取装置を備えた画像形成装置の正面図。
【図２】上記画像読取装置の構成を説明する図。
【図３】（ａ）は上記画像読取装置の斜視図、（ｂ）は上記画像読取装置から原稿トレイを取り除いた状態を示す他方向斜視図。
【図４】上記画像読取装置の制御ブロック図。
【図５】上記画像読取装置の原稿読取時における制御を示すフローチャート。
【図６】上記画像読取装置に設けられた排紙照明部の構成を説明する斜視図。
【図７】上記排紙照明部の構成を説明するＢＢ断面図。
【図８】上記排紙照明部の照明方向を説明する斜視図。
【図９】上記排紙照明部の照明方向を説明する平面図。
【図１０】上記排紙照明部の他の取り付け位置を示す図。
【図１１】上記他の取り付け位置に取り付けられた排紙照明部の照明方向を説明する平面図。
【発明を実施するための形態】
【００１１】
以下、本発明を実施するための形態について図面を用いて詳細に説明する。図１は、本発明の実施の形態に係る画像読取装置を備えた画像形成装置の正面図である。図１に示すように、画像形成装置５０１は、画像形成装置本体５０２と、画像形成装置本体５０２の上部に装着され、シートである原稿の画像読取を行う画像読取装置１を備えている。
【００１２】
画像形成装置本体５０２は、上部に不図示の画像形成部が配置され、その下方に、給紙カセット５０３に収納されたシートを給紙する不図示のシート給送部が配置されている。なお、画像形成部は、周知の電子写真方式によりシートに画像を形成するものであり、レーザ書き込み部、電子写真プロセス部、定着部等を有している。シート給送部は給紙カセット５０３に載置されたシートを分離給紙するための不図示の給紙ローラ等を備え、画像形成部にシートを給送する。また、画像読取装置１と画像形成装置本体５０２との間には排紙空間５０４が設けられており、画像形成部により画像が形成されたシートは、不図示の排紙部により排紙空間５０４に排出される。
【００１３】
画像読取装置１は、読み取り対象の原稿に記録された画像情報を光学的に読み取り、光電変換して画像データとして画像形成装置５０１に入力するものである。この画像読取装置１は、画像読取装置本体２と、画像読取装置本体２の上部に開閉自在に設けられ、複数枚の原稿を分離し、分離した原稿を後述する画像読取位置に搬送するシート搬送装置であるＡＤＦ３を備えている。
【００１４】
画像読取装置本体２には、図２に示すように本体側画像読取手段である第１画像読取部２２が設けられている。この第１画像読取部２２は、不図示の光を原稿に投射するランプ、反射笠、原稿からの反射光を光電素子まで導き、かつ縮小していく縮小光学系を備えている。また、画像読取装置本体２の上面には第１プラテンガラス２１及び原稿台ガラス２６が設けられている。
【００１５】
第１画像読取部２２は、不図示のモータの駆動により矢印で示す副走査方向に原稿台ガラス２６と平行に往復移動する。なお、本実施の形態において、モータは、後述する図４に示す制御部７１により正逆転制御され、第１画像読取部２２を、ホームポジションを基準にして往復移動させる。そして、このように移動する際、第１画像読取部２２は、原稿台ガラス２６上の原稿を光学的に走査する。なお、モータは、入力パルス数によって回転量が決められるステッピングモータであり、後述する制御部はモータに付与するパルス数を制御することにより、第１画像読取部２２の位置を制御する。
【００１６】
ＡＤＦ３には原稿を積載するシート積載手段である原稿トレイ２４と、原稿トレイ２４に載置された原稿を１枚ずつ分離給紙して搬送するためのシート搬送手段である原稿搬送部４が設けられている。また、ＡＤＦ３には、原稿搬送部４により搬送され、画像が読み取られた後の原稿が排出される排出シート積載手段である排紙トレイ２５と、第２画像読取部２３と、原稿トレイ２４に原稿が積載されていることを検知する原稿検知手段３１が設けられている。なお、原稿トレイ２４と排紙トレイ２５との間には、画像が読み取られた後の原稿が排出される空間である排出空間Ｓが形成されている。
【００１７】
原稿搬送部４は、ピックアップローラ１２、分離部１３、第１搬送ローラ対１４、レジストレーションローラ対１５、第２搬送ローラ対１６、第３搬送ローラ対１８、排紙ローラ対１９等を備えている。ピックアップローラ１２は、原稿トレイ２４に載置された原稿Ｄを搬送路Ｒに送り込むものである。分離部１３は、ピックアップローラ１２によって給送される原稿Ｄを１枚ずつに分離するものである。この分離部１３は、分離ローラ１３ａと、分離ローラ１３ａに対向して配置され、不図示の付勢手段により付勢されて分離ローラ１３ａに圧接する分離パッド１３ｂにより構成される。
【００１８】
本実施の形態において、ピックアップローラ１２は、後述する図４に示す給紙モータＭにより分離ローラ１３ａと共に回転し、原稿Ｄを搬送路Ｒに送り込む。ここで、ピックアップローラ１２は、上下方向に移動可能な不図示のアームにより回転自在に支持されている。なお、このアームは、通常、ピックアップローラ１２が図中実線で示す原稿トレイ２４に原稿を載置するときの邪魔にならないホームポジションに位置するように上方に移動している。また、このアームは、原稿Ｄを給送する際、下降し、これによりピックアップローラ１２は、図中実線の位置から破線の位置に回転しながら下降して原稿Ｄの上面に当接する。
【００１９】
レジストレーションローラ対１５は、分離部１３により１枚ずつ分離搬送された後、第１搬送ローラ対１４により搬送された原稿の先端を揃えるためのものである。第２搬送ローラ対１６はレジストレーションローラ対１５により先端が揃えられた原稿を搬送して第１画像読取部２２により原稿画像が読み取られる画像読取位置２２ａを通過させるためのものである。第３搬送ローラ対１８及び排紙ローラ対１９は、画像が読み取られた原稿をシート排出口２０から排紙トレイ２５上に排紙するためのものである。
【００２０】
なお、原稿トレイ２４には、１対の幅方向規制板３０が原稿Ｄのシート搬送方向と直交する幅方向にスライド自在に配置されている。そして、この幅方向規制板３０により、原稿トレイ２４に積載された原稿Ｄの幅方向の位置を規制することで原稿給送時、幅方向の位置を揃えて原稿Ｄを給送することができる。
【００２１】
第２画像読取部２３は原稿搬送部４により搬送された原稿の第２面の画像を読み取るためのものであり、搬送路Ｒの上方に設けられている。なお、第２画像読取部２３よりも搬送路側には第２プラテンガラス２８が設けられている。この第２画像読取部２３は、第２プラテンガラス２８の下方を通過する原稿の裏面に不図示の光源から光を照射した後、原稿からの反射光を受光素子で光電変換し、入射光量に応じた電気信号を出力することにより、原稿の第２面の画像を読み取る。このように、本実施の形態において、画像読取装置１は、第２画像読取部２３を備えることにより、ＡＤＦ３により原稿を搬送する場合には、第１画像読取部２２と第２画像読取部２３によって原稿の表裏の画像を一度の原稿搬送により読み取ることができる。
【００２２】
本実施の形態において、画像読取装置１は、ユーザによって選択された、固定読みモード（原稿台ガラス原稿読取モード）と、流し読みモード（ＡＤＦ原稿読取モード）とのいずれかのモードによって原稿を読み取るようになっている。
【００２３】
固定読みモードは、ユーザにより、原稿台ガラス２６に載置された原稿の画像を、第１画像読取部２２を矢印に示す副走査方向に移動させながら読み取るモードである。なお、ＡＤＦ３は、原稿台ガラス２６が手前側から開閉可能となるように、奥側に配設された不図示のヒンジ部により画像読取装置本体２に対して上下方向に開閉（回動）可能に支持されている。そして、固定読みモードの場合は、ＡＤＦ３を上方回動することにより、原稿台ガラス２６の上方を開放して原稿台ガラス上に原稿を載置する。この後、ＡＤＦ３を閉じて原稿台ガラス上の原稿を押さえた状態で、既述したように第１画像読取部２２を、ホームポジションを基準にして往復移動させることにより、原稿台ガラス２６上の原稿を光学的に走査する。
【００２４】
流し読みモードは、ＡＤＦ３により原稿を、第１画像読取部２２の上方及び第２画像読取部２３の下方を通過させることにより、原稿の片面又は両面画像を読み取るモードである。流し読みモードにより原稿画像を読み取る場合には、ピックアップローラ１２により、原稿トレイ２４に積載された複数の原稿のうちの最上位の原稿を分離部１３に搬送する。ここで、原稿が複数枚重なって搬送された場合には、分離部１３により、最上位の原稿を他の原稿から分離して搬送する。１枚に分離された原稿は、第１搬送ローラ対１４により、停止した状態のレジストレーションローラ対１５に搬送される。そして、分離部１３により分離された１枚の原稿の先端を静止した状態のレジストレーションローラ対１５のニップ部に突き当てて原稿にループを生じさせることにより、原稿の先端を揃えることができる。
【００２５】
先端が揃えられた後、レジストレーションローラ対１５の回転開始によって原稿は第２搬送ローラ対１６に搬送され、第２搬送ローラ対１６により、プラテンガイド１７にガイドされながら第１プラテンガラス２１上を搬送される。このとき、第１画像読取部２２は、原稿の表面の画像情報を読み取る所定の流し読み位置に移動しているので、原稿が読取位置２２ａを通過する際、原稿の表面画像が第１画像読取部２２により読み取られる。
【００２６】
次に、表面画像の読み取りが終了すると、原稿は、ジャンプ台２７にガイドされながら第２プラテンガラス２８の下面を通過し、この際、原稿の裏面の画像情報が第２画像読取部２３により読み取られる。そして、この第２画像読取部２３による原稿の裏面画像読み取りが終了すると、原稿は第２搬送ローラ対１８及び排紙ローラ対１９により、シート排出口２０から排出空間Ｓに排出され、排紙トレイ２５上に積載される。
【００２７】
ところで、画像読取装置１には、画像読取装置１の斜視図である図３の（ａ）及び、画像読取装置１から原稿トレイ２４を取り除いた状態を示す他方向斜視図である図３の（ｂ）に示すように、照明手段である排紙照明部４０が配置されている。そして、この排紙照明部４０により、排紙トレイ２５を照明する。なお、ＡＤＦ３は、画像が読み取られた原稿が排出されるシート排出口２０を備えている。そして、排紙照明部４０は、奥カバー３２に対してシート排出口２０を挟んで原稿排出方向（シート排出方向）と直交する幅方向の反対側、すなわちＡＤＦ３の手前側に配置されている。
【００２８】
図４は本実施の形態に係る画像読取装置１の制御ブロック図である。制御手段である制御部７１は、画像読取装置１の原稿画像読取動作、ＡＤＦ３の原稿搬送動作及び排紙照明部４０の照明動作を制御する。この制御部７１は、画像形成装置本体５０２に設けても良い。
【００２９】
この制御部７１には操作信号を入力する操作部７３と、原稿トレイ２４に原稿Ｄが積載されているかを検知する原稿検知手段３１と、給紙モータＭと、第１画像読取部２２と、第２画像読取部２３と、排紙照明部４０が接続される。そして、制御部７１は原稿検知手段３１からの検知信号、操作部７３からの信号に基づき給紙モータＭ、第１画像読取部２２、第２画像読取部２３、排紙照明部４０を制御する。
【００３０】
次に、本実施の形態に係る制御部７１の原稿読取時における制御について図５のフローチャートを用いて説明する。制御部７１は、まず原稿検知手段３１からの検知信号に基づいて原稿トレイ２４に原稿Ｄが積載（セット）されているかを判断する（Ｓ１）。原稿Ｄが積載されたと判断すると（Ｓ１のＹ）、操作部７３からの給紙開始信号の受信を待ち（Ｓ２）、画像読取信号を受信すると（Ｓ２のＹ）、原稿給紙動作を開始する（Ｓ３）。
【００３１】
原稿給紙動作が開始されると、排紙照明部４０を作動させ、排紙照明部４０により排紙トレイ２５の照明を開始する（Ｓ４）。この後、原稿検知手段３１からの信号に基づいて原稿トレイ２４に原稿Ｄがあるかを判断し（Ｓ５）、原稿Ｄが原稿トレイ２４にあると判断した場合には（Ｓ５のＹ）、原稿給紙動作を続ける。原稿トレイ２４に原稿Ｄがないと判断すると（Ｓ５のＮ）、原稿給紙動作を終了する（Ｓ６）。原稿給紙動作が終了した後、設定時間が経過したかどうかを判断し（Ｓ７）、設定時間が経過していると判断した場合には（Ｓ７のＹ）、排紙照明部４０による照明を終了する。このように本実施の形態においては、原稿給紙動作が開始されると、排紙照明部４０を作動させ、原稿給紙動作が終了した後、設定時間、排紙トレイ２５を照明するようにしている。
【００３２】
次に、排紙照明部４０について説明する。排紙照明部４０は、図６に示すように、排紙トレイ２５のシート積載領域Ｅよりも幅方向外側で、かつＡＤＦ３のシート排出口２０の幅方向の縁部に取り付けられている。本実施の形態においては、排紙照明部４０は、ＡＤＦ３のシート排出口２０の幅方向の側壁を形成する枠体であるフレーム３３の原稿排出方向下流側端（シート排出方向下流側端）のシート排出口２０に臨む位置に形成された凹部３４に取り付けられている。なお、本実施の形態では、排紙照明部４０は、ＡＤＦ３を矢印４３で示す前方より見た際にフレーム３３により隠れるように配置されているが、排出された原稿の視認を妨げることがなければ、フレーム３３から突出した位置に排紙照明部４０を配置しても良い。
【００３３】
また、排紙照明部４０は、図６のＢＢ断面図である図７に示すように、不図示のＬＥＤ等の光源と、光源からの光が出射される発光面４１を有する発光部４２と、発光部４２からの光が透過する透明なカバー部材５０を備えている。そして、排紙照明部４０は、矢印に示す発光部４２からの光の光軸の方向、すなわち光照射方向が原稿排出方向に対して搬送路方向側を向くように、言い換えれば排出空間Ｓを向くようにフレーム３３に取り付けられている。
【００３４】
これにより、発光部４２からの光はカバー部材５０の原稿排出方向に向いた平板状の第１光透過面５１及び第１光透過面５１と隣接して設けられ、搬送路側方向に向いた平板状の第２光透過面５２を透過して排出空間Ｓに、排出空間Ｓの側方から進入する。このように、排紙照明部４０を光照射方向が排出空間Ｓを向くように取り付けることにより、排出空間Ｓを側方から照らすことができる。なお、本実施の形態では第１光透過面５１及び第２光透過面５２の表面に、拡散効果を持たせるためシボ加工を施している。これにより、図７において斜線部で示す排紙照明部４０の照明範囲Ｚが、扇状となって広がる。
【００３５】
なお、図６等に示されているように、光を出射する第１光透過面５１及び第２光透過面５２の表面は、上下方向（鉛直方向）に延びている。このように光を発する排紙照明部４０における部分（本実施の形態では第１光透過面５１及び第２光透過面５２の表面）が鉛直方向に延びているので、排紙照明部４０が排出空間Ｓへ向けて水平に近い角度で光を発するようにすることが容易に実現できている。
【００３６】
また、図８に示すように、本実施の形態において、排紙照明部４０は、原稿トレイ２４の下端面より下方に配置されており、これにより排紙照明部４０は原稿トレイ２４に邪魔されることなく排出空間Ｓの搬送路方向奥側まで照明することが可能となる。
【００３７】
なお、本実施の形態において、排紙トレイ２５は、原稿排出方向上流側の上流側シート積載面２５ａと、上流側シート積載面２５ａの原稿排出方向下流側の下流側シート積載面２５ｂを備えている。そして、矢印で示す発光部４２からの光の光軸の方向を排紙トレイ２５のシート積載面２５ａと略平行になるように排紙照明部４０を配置すれば、さらに排出空間Ｓの搬送路方向奥側まで照明することが可能となる。
【００３８】
これにより、図９に示すように、排出された原稿Ｄが太線で示す原稿トレイ２４よりも小さく、原稿トレイ２４によって隠れてしまうサイズの原稿であっても、原稿Ｄが見え易くなり、ユーザの原稿の取り忘れを防止することができる。
【００３９】
以上説明したように、本実施の形態においては、排紙照明部４０を、光照射方向が排出空間Ｓを向くように、排紙トレイ２５のシート積載領域Ｅよりも幅方向の外側に取り付けるようにしている。これにより、排出された原稿Ｄが原稿トレイ２４によって隠れてしまうサイズの原稿であっても、排出された原稿Ｄが見え易くなるため、ユーザは原稿が排紙トレイ２５にあることを視認することができる。この結果、原稿の取り忘れを防止することができる。
【００４０】
なお、これまでは排紙照明部４０をＡＤＦ３の手前側に配置した場合について説明したが、本発明は、これに限らない。例えば、図１０及び図１１に示すように、排紙照明部４０をＡＤＦ３の奥側、すなわち奥カバー３２側に配置しても良い。また、これまでの説明では、カバー部材５０は、光透過面として平板状であり、且つ、直交している２つの光透過面５１，５２を有していたが、本発明は、これに限らない。
【００４１】
カバー部材５０の光透過面は直交でなくとも、少なくとも１つの面が搬送路側方向に面している角度で構成されていれば良い。言い換えれば、カバー部材５０は、原稿排出方向に対し排出空間Ｓから離れる方向における角度が原稿排出方向下流側ほど大きくなるように形成された複数の光透過面を有しても良い。また、カバー部材５０は、光透過面として平板状でなく、シート排出方向下流側がシート排出方向上流側よりも排出空間から離れるように湾曲した形状のものを有していても良い。
【符号の説明】
【００４２】
１…画像読取装置、２…画像読取装置本体、３…ＡＤＦ（シート搬送装置）、４…原稿搬送部（シート搬送手段）、２２…第１画像読取部（画像読み取り手段）、２３…第２画像読取部（画像読み取り手段）、２４…原稿トレイ（シート積載手段）、２５…排紙トレイ（排出シート積載手段）、２５ａ…上流側シート積載面、３２…奥カバー、３３…フレーム（枠体）、３４…凹部、４０…排紙照明部（照明手段）、４１…光透過面（発光面）、４２…発光部、５０…カバー部材、５０１…画像形成装置、Ｄ…原稿（シート）、Ｅ…シート積載領域、Ｒ…搬送路、Ｓ…排出空間、Ｚ…照明範囲
【図１】
0006739997.tif 000002
【図２】
0006739997.tif 000003
【図３】
0006739997.tif 000004
【図４】
0006739997.tif 000005
【図５】
0006739997.tif 000006
【図６】
0006739997.tif 000007
【図７】
0006739997.tif 000008
【図８】
0006739997.tif 000009
【図９】
0006739997.tif 000010
【図１０】
0006739997.tif 000011
【図１１】
0006739997.tif 000012